(57)【要約】【課題】  壜体の胴部を掴持した際、主体となる指先を、胴部に対して下方および横方から引っ掛け、他の指先を、胴部に対して横方から引っ掛けることにより、大型壜体の片手による、簡単で安定した掴持取扱いを得ることを目的とする。【解決手段】  掴持のために胴部４に陥没設される掴持部８を、陥没深さの大きい主陥没部９と、この主陥没部９から下方に伸びて陥没設された副陥没部１３とから構成し、指先が、主陥没部９では下方と横方とから引っ掛り、副陥没部１３では主に横方から引っ掛るものとして、全部の指を掴持に作用させ、これにより片手による壜体１の簡単で安定した掴持取扱いを得る。【選択図】  図１
2008007166.tif 000002
【特許請求の範囲】
【請求項１】
胴部の相対向する一対の壁の中央部分に陥没設された主陥没部と、該主陥没部から下方に伸びて陥没設された副陥没部とから掴持部を構成し、該掴持部の主陥没部および副陥没部を、指先の侵入が容易な大きさとし、前記主陥没部を、侵入した指先が下方および横方から引っ掛る第１の引っ掛り機能部分を有する構成とし、前記副陥没部を、侵入した指先が横方から引っ掛る第２の引っ掛り機能部分を有する構成とした合成樹脂製壜体。
【請求項２】
副陥没部の陥没深さを、主陥没部よりも浅くした請求項１記載の合成樹脂製壜体。
【請求項３】
胴部を長方形筒形状とし、該長方形筒形状の長辺側の平坦壁に掴持部を形成した請求項１または２記載の合成樹脂製壜体。
【請求項４】
掴持部の主陥没部を、縮径しながら陥没して、第１の引っ掛り機能部分を形成する周面壁と、前記主陥没部の底面を形成する底面壁とから構成し、該底面壁に、突出高さの小さい周突条片を突周設した請求項１〜３のいずれか１項に記載の合成樹脂製壜体。
【請求項５】
副陥没部の第２の引っ掛り機能部分を、周端に形成される第１段部と、中央に縦長の中央凹部を陥没設することにより、該中央凹部の周端に形成される第２段部とから構成した請求項１〜４のいずれか１項に記載の合成樹脂製壜体。
【請求項６】
副陥没部の第２の引っ掛り機能部分を、指先の腹が嵌り込む陥没曲面を有する、少なくとも二つ縦に隣接形成された球弧凹部で構成した請求項１〜４のいずれか１項に記載の合成樹脂製壜体。
【請求項７】
各球弧凹面の両横端部分に、突出高さの小さい、短い縦突条状の縦突条片を設けた請求項６記載の合成樹脂製壜体。
【請求項８】
胴部の中央高さ位置に周溝状のウエスト部を設け、該ウエスト部を掴持部の主陥没部の上端に位置させると共に、前記主陥没部の深さをウエスト部よりも大きくした請求項１〜７のいずれか１項に記載の合成樹脂製壜体。
【発明の詳細な説明】
【技術分野】
【０００１】
本発明は、内容液の密封収納後に、内部に減圧が発生しない大型の合成樹脂製壜体、特に、内容液を充填して重量が増大している状態で、片手による掴持性を高めた合成樹脂製壜体に関するものである。
【背景技術】
【０００２】
従来より、ポリエチレンテレフタレート（以下ＰＥＴと記す。）樹脂製等の合成樹脂製壜体は、各種飲料用、食品用等の容器として広く利用されているが、特に容量が２L程度の大型になると、用途に応じて、手で確実に掴持するため把手を付設したりする。
【０００３】
また、把手を付設しない場合には、胴部に手で掴持し易いようにくびれ部を設けたりすることがあり、例えば、壜体の胴部の中央高さ位置に形成されたウエスト部の一部に指掛となる凹部を形成する構成が知られている。
【０００４】
この壜体の胴部の中央高さ位置に、指掛けとなる凹部を形成した従来技術の代表的な構成は、壜体である容器の胴部の、少なくとも対向する両面に、溝状の把持部を設けると共に、この把持部の底部側に、横溝状の薬指用収納凹部と小指用収納凹部を所定の間隔をあけて形成した構成となっている。
【０００５】
なお、壜体は、内容液を密封収納した後に、内部に減圧が発生しない用途に使用されるものであるので、把持部の底部側に減圧吸収機能部を形成する必要がなく、これにより指用の収納凹部の形成が可能となっている。
【特許文献１】特開２００５−１１２３８３号公報
【０００６】
この上記した従来技術にあっては、片手による壜体の掴持の主体となる親指と中指が侵入する横溝状の把持部の他に、横溝状の薬指用収納凹部と小指用収納凹部とを設け、片手で壜体を掴持した際に、親指および中指と一緒に、薬指と小指も掴持作用を発揮するようにし、これにより片手による壜体の掴持を、強固で安定したものとするようにしている。
【０００７】
また、把持部は、第一溝と、この第一溝よりも深さが浅く、第一溝の両側に位置する第二溝とから構成され、この第一溝と第二溝との境界部に形成される段部に、親指および中指がフィットして、安定した把持力が発揮される。
【発明の開示】
【発明が解決しようとする課題】
【０００８】
しかしながら、上記した従来技術にあっては、把持部および収納凹部共に、その基本的構造が横溝構造であるので、この把持部および収納凹部に侵入位置した指先が、横方向に引っ掛り難く、このため内容液を注出するために壜体を傾けた際に、掴持している手の指先と胴部との間に滑りが発生し易く、このため内容液注出時における壜体の掴持が不安定となる、と云う問題があった。
【０００９】
なお、把持部の第一溝と第二溝との間の段部が、この把持部に侵入した指先に対して引っ掛り部を形成することになるが、この段部は、幅の狭い周溝の底部に位置していること、および第一溝が陥没構造であるので、大きな段差を有するものとすることが困難であることにより、大きな引っ掛り力を発揮させるこが、難しいものとなっている。
【００１０】
また、従来技術における両収納凹部は、上下に所定の間隔をあけて配置されているので、胴部を掴持する手の姿勢が、この収納凹部の配置に従って決定される一定したものに特定されることになり、これにより壜体の掴持動作が面倒になる場合がある、と云う問題があった。
【００１１】
そこで、本願発明は、上記した従来技術における問題点を解消すべく創案されたもので、壜体の胴部を手で掴持した際、掴持の主体となる指先を、胴部に対して下方および横方から引っ掛け、他の指先を、胴部に対して横方から引っ掛けることを技術的課題とし、もって大型壜体の片手による、簡単で安定した掴持取扱いを得ることを目的とする。
【課題を解決するための手段】
【００１２】
本願発明の大型壜体である合成樹脂製壜体は、下端を底部で閉鎖した筒状の胴部の上端に、肩部を介して口筒部を連設して構成されており、胴部の相対向する一対の壁の中央部分に、主陥没部と副陥没部とから成る掴持部を陥没設して構成されており、内容液密封収納後に、内部に減圧が発生しない用途に使用されるものとなっている。
【００１３】
掴持部を構成する主陥没部および副陥没部は、共に壜体の胴部を掴持する手の指先が、容易に侵入することのできる大きさに成形されている。
【００１４】
掴持部の主陥没部は、侵入した指先が下方および横方から引っ掛る第１の引っ掛り機能部分を形成する構成、すなわち第１の引っ掛り機能部分を形成することのできる深さで成形されている。
【００１５】
同様に、掴持部の副陥没部は、主陥没部から下方に伸びて陥没設されており、侵入した指先が横方から引っ掛る第２の引っ掛り機能部分を形成して構成されている。
【００１６】
掴持部の主陥没部には、壜体の掴持の主体となる指、すなわち親指か、人差し指または中指が侵入位置し、この親指および人差し指または中指が、壜体を持ち上げた際に、第１の引っ掛り機能部分に下方から引っ掛って、滑り落ちのない、壜体の安定した持ち上げを達成する。
【００１７】
また、掴持部の副陥没部には、少なくとも薬指と小指とが侵入位置し、この副陥没部に対する指先の押し付けにより、壜体の持ち上げ姿勢を安定させ、また副陥没部の第２の引っ掛り機能部分に対する指先の横方からの引っ掛かりと、上記した主陥没部の第１の引っ掛り機能部に対するする指先の横方からの引っ掛りとにより、内容液を注出する際における、壜体の傾動動作を、無理なく安定して達成する。
【００１８】
すなわち、壜体の掴持取扱いに際して、壜体を持ち上げる際には、主陥没部に侵入した指が主体となって働き、副陥没部に侵入した指は、持ち上げられた壜体の不要な揺れを抑える補助的な働きをし、持ち上げた壜体を傾動変位させて注出動作を行う際には、全ての指が壜体の傾動変位姿勢を支えるように働く。
【００１９】
そして、掴持部の主陥没部と副陥没部とは、連続して一体に形成されているので、例え陥没深さを大きくしても、局部陥没とならず、このため壜体を２軸延伸ブロー成形またはブロー成形する際に、局部延伸が発生して、壜体に構造上の不都合部分が発生することがない。
【００２０】
このことは、掴持部を構成する主陥没部および副陥没部の、許容される陥没深さの範囲が大きいことを意味しており、このため壜体の大きさに適合した陥没深さの掴持部を、自由に成形することができることになる。
【００２１】
本発明の別の構成は、掴持部における副陥没部の陥没深さを、主陥没部よりも浅くしたことにある。
【００２２】
副陥没部の陥没深さを、主陥没部よりも浅くしたものにあっては、副陥没部の陥没深さを浅くした分、掴持部全体の平均した陥没深さの値を小さくすることができ、これにより掴持部を無理なく成形することが可能となる。
【００２３】
また、本発明の別の構成は、胴部を長方形筒形状とし、この長方形筒形状の長辺側の平坦壁に掴持部を形成したことにある。
【００２４】
長方形筒形状の胴部の長辺側の平坦壁に掴持部を形成したものにあっては、胴部を掴持した手の掌に、胴部の幅の小さい短辺側の平坦壁が対向するので、大きな壜体でも、胴部の長辺側壁幅と短辺側壁幅との調整により、片手での掴持が行い易くさせることが可能となる。
【００２５】
また、本発明の別の構成は、掴持部の主陥没部を、縮径しながら陥没して、第１の引っ掛り機能部分を形成する周面壁と、周面壁に連設された底面を形成する底面壁とから構成し、この底面壁に、突出高さの小さい周突条片を突周設したことにある。
【００２６】
掴持部の主陥没部を、周面壁と底面壁とから構成し、底面壁に周突条片を設けたものにあっては、主陥没部を陥没形成する主体部分である周面壁により第１の引っ掛り機能部分を形成するので、第１の引っ掛り機能部分を有する主陥没部を簡単に構成することができ、また主陥没部に侵入した指先の、底面壁に押付けられた腹が、周突条片に引っ掛るので、この引っ掛りが、指先の主陥没部に対する引っ掛かりを補強することになる。
【００２７】
また、本発明の別の構成は、副陥没部の第２の引っ掛り機能部分を、周端に形成される第１段部と、中央に縦長の中央凹部を陥没設することにより、この中央凹部の周端に形成される第２段部とから構成したことにある。
【００２８】
副陥没部の第２の引っ掛り機能部分を、第１段部と第２段部とから構成したものにあっては、掴持した際に、指先を、第１段部と第２段部の、引っ掛け易いいずれか一方に引っ掛けることができるので、胴部の掴持動作が簡単となる。
【００２９】
また、本発明の別の構成は、副陥没部の第２の引っ掛り機能部分を、指先の腹が嵌り込む陥没曲面を有する、少なくとも二つ縦に隣接形成された球弧凹部で構成したことにある。
【００３０】
副陥没部の第２の引っ掛り機能部分を、少なくとも二つの球弧凹部で構成したものにあっては、副陥没部に侵入した指先の腹が、球弧凹部の陥没曲面に嵌り込むことにより、第２の引っ掛り機能部分と指先との間に、横方の引っ掛り力が発生するばかりでなく、第２の引っ掛り機能部分に対して、指先が下方からも引っ掛ることになり、これにより主陥没部における下方からの引っ掛り作用を補強することになる。
【００３１】
また、本発明の別の構成は、副陥没部の第２の引っ掛り機能部分を構成する各球弧凹面の両横端部分に、突出高さの小さい、短い縦突条状の縦突条片を設けたことにある。
【００３２】
球弧凹部の両横端部分に縦突条片を設けたものにあっては、指先の縦突条片に対する引っ掛りにより、第２の引っ掛り機能部分である球弧凹部に対する指先の横方からの引っ掛かりを補強することになる。
【００３３】
また、本発明の別の構成は、胴部の中央高さ位置に周溝状のウエスト部を設け、このウエスト部を掴持部の主陥没部の上端に位置させると共に、主陥没部の深さをウエスト部よりも大きくしたことにある。
【００３４】
ウエスト部を掴持部の主陥没部の上端に位置させると共に、主陥没部の深さをウエスト部よりも大きくしたものにあっては、掴持部をウエスト部と一体に陥没成形することができるので、陥没深さの大きい掴持部を、無理なく適正に成形することができ、また掴持部の主陥没部に指先を侵入させた指が、ウエスト部により形成される凹溝部部分に位置するので、この指の胴部に対する姿勢が安定すると共に、胴部に対する当たりが柔らかくなる。
【発明の効果】
【００３５】
本発明は、上記した構成となっているので、以下に示す効果を奏する。
本発明の合成樹脂製壜体にあっては、壜体を掴持して取扱うに際して、全ての指を、滑ることなく、有効に作用させることができるので、壜体の安全でかつ適正でそして良好な取扱い状態を得ることができる。
【００３６】
また、掴持部を、主陥没部と副陥没部とを一体に組合せた構成とすることにより、この掴持部を、必要とする陥没深さで、不都合な局部延伸を発生させることなく、成形することができるので、壜体の大きさに適合した掴持部を、無理なく簡単に成形することができる。
【００３７】
副陥没部の陥没深さを、主陥没部よりも浅くしたものにあっては、掴持部全体の平均した陥没深さの値が小さくなるので、その分、掴持部の陥没成形が容易となり、掴持部を成形性の良い状態で成形することができる。
【００３８】
長方形筒形状の胴部の長辺側の平坦壁に掴持部を形成したものにあっては、大きな壜体でも、片手での掴持が行い易くさせることが可能となるので、片手で掴持取扱いが容易な大型壜体を、簡単に提供することができる。
【００３９】
掴持部の主陥没部を、周面壁と底面壁とから構成し、底面壁に周突条片を設けたものにあっては、第１の引っ掛り機能部分を有する主陥没部を簡単に構成することができると共に、第１の引っ掛り機能部分の引っ掛り動作を補強するので、強固で安定した壜体の持ち上げ動作を得ることができる。
【００４０】
副陥没部の第２の引っ掛り機能部分を、第１段部と第２段部とから構成したものにあっては、掴持した際に、指先を、第１段部と第２段部の、引っ掛け易いいずれか一方に引っ掛けることができるので、胴部の掴持動作が簡単となり、壜体の掴持取扱いが容易となる。
【００４１】
副陥没部の第２の引っ掛り機能部分を、少なくとも二つの球弧凹部で構成したものにあっては、第２の引っ掛り機能部分と指先との間に、横方の引っ掛り力が発生するばかりでなく、下方からの引っ掛り力も発生するので、第２の引っ掛り機能部分が第１の引っ掛り機能部分の作用全体を補強することになり、これにより掴持動作の安定性を高めることができる。
【００４２】
副陥没部の第２の引っ掛り機能部分を、少なくとも二つの球弧凹部で構成し、球弧凹部の両横端部分に縦突条片を設けたものにあっては、第２の引っ掛り機能部分における指先の横方からの引っ掛かりを補強するので、横滑りのない、確実な掴持を得ることができる。
【００４３】
ウエスト部を掴持部の主陥没部の上端に位置させると共に、主陥没部の深さをウエスト部よりも大きくしたものにあっては、陥没深さの大きい掴持部を、無理なく適正に成形することができ、また掴持部の主陥没部に指先を侵入させた指の胴部に対する組付き姿勢が安定すると共に、胴部に対する当たりが柔らかくなるので、陥没深さの大きい掴持部を、良好な成形性で成形することができ、また片手により壜体の掴持が安定して良好なものとなる。
【発明を実施するための最良の形態】
【００４４】
以下、本発明の実施形態例を、図面を参照して説明する。
【００４５】
図示した実施形態例における合成樹脂製壜体１は、下端を一体設した底部２０で塞いだ長方形筒形状の胴部４の上端に、角錐台筒形状をした肩部３を介して、外周面にキャップをかしめ固定するための係止部を形成した短円筒状の口筒部２を一体に連設して構成されている。
【００４６】
この壜体１は、内容物を収納して密閉された後に、壜体１内に減圧の発生しない、例えば食用油等を収納するＰＥＴ樹脂製の二軸延伸ブロー成形品であり、通称容量が２Ｌの角型壜体となっており、胴部４は、４つの平坦壁５と、隣接する平坦壁５を角取り状に連結する４つの角壁６とで、角取りした長方形筒状となっている。
【００４７】
この胴部４の略中央高さ位置には、壜体１の剛性を高くするために、周溝状に構成されたウエスト部７が陥没周設されている。
【００４８】
長辺側を形成する幅広の平坦壁５の、ウエスト部７よりも下位となる部分の中央部には、ウエスト部７を上端に位置させて、主陥没部９と副陥没部１３とから構成される掴持部８が陥没形成されている。
【００４９】
ウエスト部７を設けることにより、各平坦壁５は上下に区画されることになるが、この上下に区画された平坦壁５部分の内、掴持部８が形成された部分以外の部分には、各平坦壁５部分を補強する補強横リブ１９（図１、図２、図６参照）が設けられている。
【００５０】
図１〜図５は、掴持部８の第一の構成例を設けた実施形態例を、また図６〜図８は、掴持部８の第二の構成例を設けた実施形態例をそれぞれ示しているが、この掴持部８の両構造例は、副陥没部１３の構造だけが異なっている。
【００５１】
掴持部８の主陥没部９（図１、図３、図４、図６、図７参照）は、陥没方向に縮径した周面壁１０と、この周面壁１０の陥没端に一体に連設されて主陥没部９の底面を形成する底面壁１１とから構成され、ウエスト部７よりも大きい陥没深さで成形されている。
【００５２】
この主陥没部９の周面壁１０は、この主陥没部９に侵入した親指、人差し指または中指の指先が、下方からそして横方から引っ掛る第１の引っ掛り機能部分を形成しており、また侵入した指先が押付けられる底面壁１１の表面には、突出高さの低い周突条片１２が、２本平行に周設されていて、侵入した指先に対する引っ掛りを補強している。
【００５３】
また、この主陥没部９に侵入した親指、人差し指または中指は、その指先を周面壁１０に引っ掛けた状態で、指の腹部分をウエスト部７に、ごく自然に嵌め込み状に位置させるので、掴持状態時における壜体１に対する手のフィット感が、きわめて良好となる。
【００５４】
掴持部８の副陥没部１３は、主陥没部９から、この主陥没部９よりも小さい陥没深さで、下方に伸びる形態で一体に形成されているが、図１〜図５に示した第一構造例の場合、中央に縦長の中央凹部１４を、主陥没部９から連続した形態で陥没設することにより、周端に第１段部１５を、そして内側の中央凹部１４の周端に第２段部１６を形成し、この第１段部１５と第２段部１６とにより、第２の引っ掛り機能部分を構成する構造となっている。
【００５５】
この副陥没部１３の第一構造例においては、副陥没部１３に侵入する指の数が特定されることがないと共に、侵入した指先は、第１段部１５と第２段部１６のいずれか一方に引っ掛ればよいので、手の一定した掴持姿勢が要求されず、このため壜体１の掴持動作がきわめた簡単なものとなる。
【００５６】
図６〜図８に示した副陥没部１３の第二構造例の場合、主陥没部９から下方に伸びて形成された陥没部分内に、主陥没部９側から順に、中指用の球弧凹部１７、薬指用の球弧凹部１７、そして小指用の球弧凹部１７を縦列に隣接形成し、各球弧凹部１７の両横端に、突出高さの小さい短縦突条状の縦突条片１８を突設して構成されている。
【００５７】
この副陥没部１３の第二構造例の場合、各球弧凹部１７が、指先の腹が嵌り込む陥没曲面を有しているので、球弧凹部１７は、嵌り込んだ指先に対して引っ掛り作用をおよぼすのであるが、縦突条片１８は、この球弧凹部１７が指先におよぼす横方の引っ掛り作用を補強する。
【産業上の利用可能性】
【００５８】
本発明は、以上説明したように、胴部に陥没形成する掴持部を、主陥没部と副陥没部とから構成することにより、陥没深さの大きい掴持部を、無理なく好都合に成形することができ、大型の合成樹脂製壜体、特に角型壜体の分野で幅広い用途展開が期待される。
【図面の簡単な説明】
【００５９】
【図１】は、第一実施形態例の、全体正面図である。
【図２】は、第一実施形態例の、全体側面図である。
【図３】は、図１のＡ−Ａ線に沿って切断矢視した、部分拡大縦断面図である。
【図４】は、図１のＢ−Ｂ線に沿って切断矢視した、拡大平断面図である。
【図５】は、図１のＣ−Ｃ線に沿って切断矢視した、拡大平断面図である。
【図６】は、第二実施形態例の、全体正面図である。
【図７】は、図６のＤ−Ｄ線に沿って切断矢視した、部分拡大縦断面図である。
【図８】は、図６のＥ−Ｅ線に沿って切断矢視した、拡大平断面図である。
【符号の説明】
【００６０】
１  ；壜体
２  ；口筒部
３  ；肩部
４  ；胴部
５  ；平坦壁
６  ；角壁
７  ；ウエスト部
８  ；掴持部
９  ；主陥没部
１０；周面壁
１１；底面壁
１２；周突条片
１３；副陥没部
１４；中央凹部
１５；第１段部
１６；第２段部
１７；球弧凹部
１８；縦突条片
１９；補強横リブ
２０；底部
【図１】
2008007166.tif 000003
【図２】
2008007166.tif 000004
【図３】
2008007166.tif 000005
【図４】
2008007166.tif 000006
【図５】
2008007166.tif 000007
【図６】
2008007166.tif 000008
【図７】
2008007166.tif 000009
【図８】
2008007166.tif 000010